(57)【要約】 【課題】  神棚のミニチュア版のイメージを十分に彷彿させることができること。【解決手段】  縦長状のケース本体と、このケース本体の前面開口の収納凹所に前方から嵌め込まれた所定寸法の御札の上下端部をそれぞれ支持することができるように該ケース本体の上下水平杆の前面にそれぞれ固定された上下ストッパー板と、上方のストッパー板の下辺を基準にしてケース本体の上端部に複数個のオス・メス固着手段を介して張設されたミニチュアのしめ縄幕とから成る御札用神棚。【選択図】  図１
2005074143.tif 000002
【特許請求の範囲】
【請求項１】
縦長状のケース本体１と、このケース本体の前面開口の収納凹所７に前方から嵌め込まれた所定寸法の御札８の上下端部をそれぞれ支持することができるように該ケース本体の上下水平杆３．４の前面にそれぞれ固定された上下ストッパー板１０．１１と、上方のストッパー板の下辺を基準にしてケース本体の上端部に複数個のオス・メス固着手段１５．１５を介して張設されたミニチュアのしめ縄幕２１とから成る御札用神棚。
【請求項２】
請求項１に於いて、しめ縄幕２１は、予め中央部の下部を山形状に切欠し、かつ、左右に模様を有する幕本体２２と、この幕本体の中央部に固定された飾り房２３と、この飾り房２３の垂直線状紐部２３ａに交差するように幕本体の上端部に固定的に添設されたしめ縄２４とから成ることを特徴とする御札用神棚。
【請求項３】
請求項１に於いて、しめ縄幕２１は、オス側固着手段１５とメス側固着手段１５を介してケース本体１に着脱自在に装着されることを特徴とする御札用神棚。
【請求項４】
請求項１に於いて、ケース本体１は吊り下げ具を備えていることを特徴とする御札用神棚。
【発明の詳細な説明】
【技術分野】
【０００１】
本発明は、簡易型の御札用神棚に関する。
【背景技術】
【０００２】
特許文献１には、御札用水平支持溝を有する基礎部材と、この基礎部材に立設された背面部材と、この背面部材の上端部に固定された傾斜状屋根部材とから成る簡易神棚が記載されている。この特許文献１の簡易神棚は、安価に製作でき、また持ち運びに便利であるという利点を有するが、位牌的イメージが彷彿されるという問題点がある。
【０００３】
特許文献２は、本出願人が提案したものである。これは、あくまでも神棚用の簡易幕であり、神社仏閣で購入した祈願札、お守り等の御札を収納することができないという問題点がある。
【０００４】
特許文献３は、御札を納める板状の奉祀部材と、この奉祀部材の近傍に添設されるしめ縄と、このしめ縄を前記奉祀部材に固定する取付け部材とから成るが、奉祀部材は断面Ｌ型の支持板であるために、御札が露呈するという問題点があると共に、正式な神棚のミニチュア版のイメージが今ひとつ彷彿し難い。また、複数枚の御札を収納できないという欠点がある。
【特許文献１】特開平１１−１８９２０号公報
【特許文献２】特開平１１−１５５７２７号公報
【特許文献３】実開平５−２０６７７号公報
【発明の開示】
【発明が解決しようとする課題】
【０００５】
本発明の第１の目的は、神棚のミニチュア版のイメージを十分に彷彿させることができる御札用神棚を提案すること。第２の目的は、神社仏閣で購入した祈願札、お守り等の御札を簡単に出し入れすることができること。特にケース本体に収める時は、ケース本体の前方開口から「スポット」入れることができると共に、一旦ケース本体の収納凹所に御札を収めた後は、御札が容易にケース本体から外れないこと。第３の目的は、御札の収納スペースを十分に確保することができること。第４の目的は、マンション、アパートなど部屋が狭く、神棚を取り付け難い場所であっても、机、テーブル、棚、壁など所望する場所に手軽に設置することができると共に、設置場所如何を問わず、装飾感、高級感、神聖感等を損なわないこと。加えて、しめ縄幕をケース本体から取外した状態で御幣（紙垂）をしめ縄に挟むことができると共に、御幣（紙垂）をしめ縄に挟んだ後は、当該しめ縄幕をケース本体に着脱自在に装着可能であることである。
【課題を解決するための手段】
【０００６】
本発明の御札用神棚は、縦長状のケース本体と、このケース本体の前面開口の収納凹所に前方から嵌め込まれた所定寸法の御札の上下端部をそれぞれ支持することができるように該ケース本体の上下水平杆の前面にそれぞれ固定された上下ストッパー板と、上方のストッパー板の下辺を基準にしてケース本体の上端部に複数個のオス・メス固着手段を介して張設されたミニチュアのしめ縄幕とから成る。
【発明の効果】
【０００７】
（１）神棚のミニチュア版のイメージを十分に彷彿させることができる。
（２）神社仏閣で購入した祈願札、お守り等の御札を簡単に出し入れすることができる。特にケース本体に収める時は、ケース本体の前方開口から「スポット」入れることができる。
（３）上下水平杆の前面にそれぞれ上下ストッパー板が固定されているので、一旦ケース本体の収納凹所に御札を収めた後は、御札が容易にケース本体から外れない。
（４）収納対象がケース本体であるから、御札の収納スペースを十分に確保することができる。したがって、神社仏閣で購入した祈願札、お守り等の御札の厚さ如何によっては、複数枚、例えば３枚程度収納することができる。
（５）マンション、アパートなど部屋が狭く、神棚を取り付け難い場所であっても、机、棚、壁など所望する場所に手軽に設置することができると共に、しめ縄幕を備えているので、シンプルな箱型であっても高級感ないし神聖感を損なわない。
（６）しめ縄幕をケース本体から取外した状態で御幣（紙垂）をしめ縄に挟むことができる。
【発明を実施するための最良の形態】
【０００８】
以下、図面に示す本発明を実施するための最良の形態により、本発明の御札用神棚Ｘを詳細に説明する。図１乃至８図は、本発明の一実施例を示す各説明図である。
【０００９】
１は縦長状のケース本体で、このケース本体１は、縦長状の所定寸法の背板２と、この背板２の上下・左右の各縁部に単数又は複数個のしゃくり面（段差状嵌合部）を介して矩形枠状に組み合わせられた上下水平杆（けた的杆）３．４及び左右垂直杆（柱的杆）５．６とから成る。
【００１０】
ケース本体１は木製であり、背板２の上端部に上水平杆３、背板２の下端部に下水平杆４、背板２の左端部に左垂直杆５、背板の右端部に右水平杆６をそれぞれ組み合わせると、前面開口の収納凹所７が出来上がる。この収納凹所７の奥行きは、お寺や神社で購入した所定寸法の御札８を、少なくとも１枚縦状態に「スポット」と収納できるように設定されている（例えば１．２ｃｍ〜２．０ｃｍの奥行き）。
【００１１】
前記しゃくり面（段差状嵌合部）は、木工の分野で慣用技術であるが、本実施例では、釘、鋲などの金属製固着具を用いないことにより、手作り感、装飾感、高級感、神聖感を彷彿させている。
【００１２】
図３は、しゃくり面の一例を示す。例えば符号４ａは下水平杆４の上部側の角（二面接合部）に形成された横方向のしゃくり面で、このしゃくり面４ａは左垂直杆５及び右水平杆６の突出下端部の内側にそれぞれ交差状に形成されたしゃくり面５ａ．６ａにそれぞれぴったりと適合するように背板２の下端縁部に嵌め合わせられる。この点、上水平杆３の下部側の角のしゃくり面と左垂直杆５及び右水平杆６の突出上端部の内側にそれぞれ交差状に形成されたしゃくり面５ａ．６ａとの関係も同様である。
【００１３】
このように木工技術で行われるしゃくり面を介して上下水平杆３．４並びに左右垂直杆５．６を背板２の四辺にそれぞれ組み合わせると、ケース本体１が出来上がり、その背面は面一の状態になる。なお、ケース本体１を製作する際には、上述したような理由から、金属製固着具を用いないで、接着剤（接着層）を適宜に使用するのが望ましい。
次に１０．１１は長板状の上下ストッパー板（御札用支持板）で、これらの上下ストッパー板１０．１１は、ケース本体１の収納凹所７に嵌め込まれた所定寸法の御札８の上下端部８ａ．８ｂの前面をそれぞれ支えることができるように該ケース本体１の上下の水平杆３．４の前面にそれぞれ接着層を介して固定される。
【００１４】
御札８を前面開口からケース本体１の背板２の前面に沿うように収納凹所７に入れると、上ストッパー板１０は、御札８がケース本体１から外れて前方へ倒れないように支持する。すなわち、本実施例の上ストッパー板１０は、上水平杆３の内壁面から所要量下方方向に突出するように接着層を介して上水平杆３の前面に固定されている。
【００１５】
一方、下ストッパー板１１は、上ストッパー板１０と同様に御札８がケース本体１から外れて落下しないように下水平杆４の内壁面から所要量上方方向に突出するように接着層を介して下水平杆４の前面に固定されている。
【００１６】
ところで、本実施例の上ストッパー板１０には、水平方向に平行して複数本（例えば３本）の装飾彫り１０ａが形成されており、これが後述のしめ縄幕と相俟って装飾感、高級感、神聖感等を彷彿される要因となっている。また上ストッパー板１０には、装飾板としての機能をもたせていることから、本実施例では、下ストッパー板１１よりも幅広である。
【００１７】
次に２１はミニチュアのしめ縄幕で、このしめ縄幕２１は、上方のストッパー板１０の下辺を基準にしてケース本体１の上端部に複数個の固着手段１５を介して張設される。
しかして、しめ縄幕２１は、予め中央部の下部を山形状に切欠し、かつ、左右に模様を有する紫色の幕本体２２と、この幕本体２２の中央部に垂直線状紐部２３ａが上下の二箇所で固定された飾り房２３と、この飾り房２３の垂直線状紐部２３ａに交差するように幕本体２２の上端部に固定的に添設されたしめ縄２４と、このしめ縄２４に挟着される複数枚の御幣（紙垂）２５とから成る。
【００１８】
幕本体２２の長さ寸法は、幕本体２２の両端部とケース本体１の左右の垂直杆５．６の外側壁にオス・メスの固着手段１５をそれぞれ適宜に取付ける関係上、本実施例ではケース本体１の左右の垂直杆５．６の外側壁も覆うことができる長さに設定されている。
ところで、本実施例の幕本体２２は、重ね部分がなく、シート状に形成されているが、例えば絹織物を所定寸法の長方形状に切断し、かつ、左右辺縁部及上辺縁部を多少裏側に折り返した状態で縫成しても良い。
【００１９】
また幕本体２２は普通一般の紫色であると共に、飾り房２３を基準とする左右の中央部寄りの部位にそれぞれ白色の巴模様が施されている。
【００２０】
また前記飾り房２３は、幕本体２２の中央部の上部側に上下の二箇所で糸を介して固定（縫着）された垂直線状紐部２３ａと、この垂直線状紐部２３ａの下位に連設する飾り結目２３ｂと、この飾り結目２３ｂの下位に連設する房部２３ｃとから成る。
【００２１】
さらに、オス・メスの固定手段１５は、オス・メスで一組を成し、例えばオス側の固定手段１５が幕本体の左右両端部の裏側にそれぞれ取付けられ、一方、メス側の固定手段１５がケース本体の左右の外側壁にそれぞれ取付けられ、これらのオスとメスは互いに着脱自在に係脱する。本実施例では、前述したように、幕本体２２の両端部と、ケース本体１の左右の垂直杆５．６の外側壁にオス又はメスのマジックテープ（登録商標）がそれぞれ固定的に設けられる。なお、本実施例では、ケース本体１の上方中央部に吊り下げ具２７が取付けられている。
【００２２】
上記構成に於いては、上下のストッパー板１０．１１を備えたケース本体１にしめ縄幕２１を装着する前に、まず、しめ縄幕２１の幕本体２２に御幣２５を複数枚垂り下げる。次に、しめ縄幕２１のオス側固定手段１５を上ストッパー板１０の下辺を基準にしてケース本体１のメス側固定手段１５に付着（係合）させる。
【００２３】
次に、ケース本体１に御札８を入れる場合には、収納凹所７の前面開口から入れる。この場合には、例えば御札８の上端部を上ストッパー板１０の裏面に差し込むように入れ、その後に御札８の下端部を下ストッパー板１１に係止させるようにする。このようにケース本体１に御札８を入れると、御札８は、普通一般に多少傾倒するが、仮にケース本体１を手に持って開口側を下方に向けても、御札８の上下端部は、上ストッパー板１０と下ストッパー板１１にそれぞれ支持されるので落下しない。
【００２４】
本発明の御札用神棚は、完成品として販売するのみならず、少なくとも上ストッパー板１０と下ストッパー板１１とを有するケース本体１と、オス・メスのマジックテープ（登録商標）１５と、支持板に取付けられたしめ縄幕２１とを「セット」として販売する場合もあり得る。
【００２５】
後者の場合には、ユーザーは、家庭内に於いて、例えばしめ縄幕２１を取付けた図示しない支持板の裏面に、「幕の取付け方法」が記載されているので、その幕の取付け方法を読みながら、しめ縄幕２１をケース本体１に装着することができる。
【実施例】
【００２６】
上方のストッパー板１０は、ケース本体１の上水平杆３の上面に固定的に設けられているが、取り外し可能に装着しても良い。この場合には、上方のストッパー板１０をケース本体１の上水平杆３に対して上下方向に位置調整することができるように工夫しても良い（縦溝と突条とのスライド嵌合、縦方向の複数個係合小孔と小突起との密或いは緊嵌合などの構造）。また、本実施例の上方のストッパー板１０には神殿装飾の機能を持たせているから、ストッパー板１０の形状を山形形状ないし屋根型形状にしても良い。
【産業上の利用可能性】
【００２７】
本発明は、主に神棚を代用する核家族の家の部屋で利用される。
【図面の簡単な説明】
【００２８】
図１乃至図８は本発明の最良の実施例を示す各説明図。
【図１】正面からの説明図。
【図２】図１の２−２線断面図。
【図３】分解斜視図。
【図４】ケース本体の正面からの説明図。
【図５】図４の５−５線断面図。
【図６】図４の６−６線断面図。
【図７】しめ縄幕の正面からの説明図。
【図８】図７の８−８線断面図。
【符号の説明】
【００２９】
Ｘ…御札用神棚、1…ケース本体、２…背板、３、４…上下の水平杆、５、６…左右の垂直杆、４ａ、５ａ、６ａ…しゃくり面、７…前面開口の収納凹所、８…御札、１０…上方のストッパー板、１１…下方のストッパー板、１５…固着手段、２１…しめ縄幕、２２…幕本体、２３…飾り房、２４…しめ縄、２５…御幣、２７…吊り下げ具。
【図１】
2005074143.tif 000003
【図２】
2005074143.tif 000004
【図３】
2005074143.tif 000005
【図４】
2005074143.tif 000006
【図５】
2005074143.tif 000007
【図６】
2005074143.tif 000008
【図７】
2005074143.tif 000009
【図８】
2005074143.tif 000010